(57)【要約】【課題】本発明は水鉄砲玩具を開示した。【解決手段】本体を含み、前記本体の上端面には貯水ケースが磁気吸引され、前記貯水ケースの中には貯水チャンバが設置され、前記貯水チャンバの下端壁の中にはスライド溝が設置され、前記スライド溝の中には押し撥条によって左右に対称的なスライダが固定的に設置され、前記スライダの上端の間には密閉板が固定的に設置され、前記本体の上端面には左右に対称的な固定棒が固定的に設置され、前記固定棒の下側には空チャンバが設置され、前記空チャンバと前記貯水チャンバとの間には水溝が連通して設置され、前記水溝の外周には注水スイッチが設置され、前記注水スイッチは前記水溝の流通と閉鎖とを制御でき、前記空チャンバの中にはピストンがスライドできるように設置される。【選択図】図１
2020176815.tif 000002
【特許請求の範囲】
【請求項１】
水鉄砲玩具であって、本体を含み、前記本体の上端面には貯水ケースが磁気吸引され、前記貯水ケースの中には貯水チャンバが設置され、前記貯水チャンバの下端壁の中にはスライド溝が設置され、前記スライド溝の中には押し撥条によって左右に対称的なスライダが固定的に設置され、前記スライダの上端の間には密閉板が固定的に設置され、前記本体の上端面には左右に対称的な固定棒が固定的に設置され、前記固定棒の下側には空チャンバが設置され、前記空チャンバと前記貯水チャンバとの間には水溝が連通して設置され、前記水溝の外周には注水スイッチが設置され、前記注水スイッチは前記水溝の流通と閉鎖とを制御でき、前記空チャンバの中にはピストンがスライドできるように設置され、前記ピストンの中には抜き溝が設置され、前記抜き溝の左側には凹み溝が連通し合って設置され、前記凹み溝の中には密閉ブロックがスライドできるように設置され、前記密閉ブロックの右端と前記凹み溝との間には上下に対称的な固定撥条が固定的に設置され、前記空チャンバの左側と外部との間には噴き管が連通して設置され、前記噴き管の中には玉弁が当接しており、前記空チャンバの下側にはスプレー装置が設置され、前記スプレー装置と前記玉弁とが固定的に連結され、前記ピストンの右端面にはピストン棒が固定的に設置され、前記空チャンバの右側には連結チャンバが連通し合って設置され、前記ピストン棒の右端が前記連結チャンバの中に伸びており且つ前記ピストン棒の右端にはロック溝が設置され、前記ロック溝と前記スプレー装置とが係止連結され、前記ピストン棒の右側にはスライド棒がスライドできるように設置され、前記スライド棒と前記ピストン棒との間にはねじりばねが固定的に設置され、前記連結チャンバの右側には回転チャンバが連通し合って設置され、前記スライド棒の右端が前記回転チャンバの中に伸びており、且つ前記スライド棒の右端には固定板が固定的に設置され、前記固定板の左端と前記回転チャンバとの間には伸縮撥条が固定的に設置され、前記回転チャンバの中には前後に対称的なカムが回転できるように設置され、後側の前記カムと前記回転チャンバの後端壁に固定的に設置されたモーターとが伝動できるように連結され、後側の前記カムには係止溝が設置され、前記回転チャンバの後側にはロック装置が設置され、前記ロック装置と前記係止溝とが係止連結され、二つの前記カムの中には回し溝が設置され、前記回し溝の中にははじきブロックがスライドできるように設置され、前記はじきブロックの間には連結軸が固定的に設置され、前側の前記カムの中には調節装置が設置され、前記調節装置は前記連結軸の位置を調節でき、前記空チャンバの中の気圧は水の射程を調節できることを特徴とする水鉄砲玩具。
【請求項２】
前記注水スイッチは押し溝を含み、前記押し溝の中には押しブロックがスライドできるように設置され、前記押しブロックには抜き溝が設置され、前記押しブロックの下端には前記押しブロックを戻す復帰組み合わせが固定的に設置され、前記押し溝の下端壁の中には下端が前記ピストンと当接した圧ブロックがスライドできるように設置され、前記圧ブロックの右端壁には前記圧ブロックを戻す復帰部品が固定的に設置されており、前記ピストンが移動して前記水溝の開閉を制御できることを特徴とする請求項１に記載の水鉄砲玩具。
【請求項３】
前記スプレー装置は移動溝を含み、前記移動溝の中には移動棒がスライドできるように設置され、前記移動棒の左端と前記移動溝との間には連結撥条が固定的に設置され、前記移動溝の上側と前記噴き管と連通し合っており、前記移動棒の左端には上端が前記噴き管の中に伸びて前記玉弁と固定的に連結された回転棒が回転できるように設置され、前記移動溝の右側には開け溝が連通し合って設置され、前記開け溝の中には上端と前記移動棒の右端とが回転できるように連結された引き金が回転できるように設置され、前記引き金の左端面と前記開け溝との間には圧力撥条が固定的に設置され、前記移動溝と前記連結チャンバとの間には連結溝が連通して設置され、前記連結溝の中には前記移動棒と当接したロック棒がスライドできるように設置され、前記ロック棒の下端と前記連結溝との間には支持撥条が固定的に設置され、前記ロック棒の上端と前記ロック溝とが係止連結されており、前記引き金を引いて水鉄砲から水を噴出させることを特徴とする請求項１に記載の水鉄砲玩具。
【請求項４】
前記ロック装置は前記回転チャンバと連通し合った空溝を含み、前記空溝の中には前端と前記係止溝とが係止連結された係止ブロックがスライドできるように設置され、前記係止ブロックの後端と前記空溝との間には回転撥条が固定的に設置され、前記空溝の下側にはスライドチャンバが連通し合って設置され、前記スライドチャンバの中にはラックがスライドできるように設置され、前記ラックの後端には連結棒が当接して設置され、前記連結棒の上端が前記係止ブロックを貫通しており、前記スライドチャンバの下端壁の中には上端と前記ラックとが噛合した連結歯車が回転できるように設置され、前記連結歯車の右端には第一傘歯車が噛合連結され、前記第一傘歯車の下端面には固定軸が固定的に設置され、前記本体の下端面には取手が固定的に設置され、前記取手の中には開けチャンバが設置され、前記開けチャンバの中には左端が外部に伸びた押し棒がスライドできるように設置され、前記押し棒の右端と前記開けチャンバとの間には復帰撥条が固定的に設置され、前記開けチャンバの後端壁の中には回転軸によって直歯車が回転できるように設置され、前記直歯車と前記押し棒とが噛合しており、前記回転軸と前記固定軸との間が同期ベルトによって伝動できるように連結されており、前記押し棒が移動して前記カムの回転状態を制御できることを特徴とする請求項１に記載の水鉄砲玩具。
【請求項５】
前記調節装置は前側の前記回し溝と連通し合った回転溝を含み、前記回転溝の中には左右に対称的なプーリが回転できるように設置され、前記プーリの間がベルトによって伝動できるように連結され、前記ベルトの後端と前側の前記はじきブロックとが固定的に連結され、左側の前記プーリの前端には第二傘歯車が噛合し、前記第二傘歯車の前端面にはスプライン軸が固定的に設置され、前記回転チャンバの前側には押しチャンバが連通して設置され、前記押しチャンバの中には前端が外部に伸びた回転ブロックがスライドできるように設置され、前記回転ブロックと前記スプライン軸とがスプラインによって連結され、前記押しチャンバの中に位置した前記回転ブロックには支持ブロックが固定的に設置され、前記支持ブロックの後端と前記押しチャンバとの間には押し撥条が固定的に設置されており、前記回転ブロックを回して前記連結軸の位置を調節して前記空チャンバの中の気圧を調節することを特徴とする請求項１に記載の水鉄砲玩具。
【発明の詳細な説明】
【技術分野】
【０００１】
本分野は玩具の技術分野を取り上げて、具体的には水鉄砲玩具である。
【背景技術】
【０００２】
現有の技術の水鉄砲の射程の調節構造が複雑で、水鉄砲のコストが高く、その次、水鉄砲の中の気圧調節装置の操作が原因となり、スプレーを不連続にさせ、そのため、現有の技術の水鉄砲玩具に更なる改善が必要であり、それによりスプレーの射程を高める。
【先行技術文献】
【特許文献】
【０００３】
【特許文献１】中国特許出願公開第107941082号明細書
【発明の概要】
【発明が解決しようとする課題】
【０００４】
本発明の目的は水鉄砲玩具を提供し、現有の技術の上記欠点を克服できる。
【課題を解決するための手段】
【０００５】
本発明の実施例における水鉄砲玩具は、本体を含み、前記本体の上端面には貯水ケースが磁気吸引され、前記貯水ケースの中には貯水チャンバが設置され、前記貯水チャンバの下端壁の中にはスライド溝が設置され、前記スライド溝の中には押し撥条によって左右に対称的なスライダが固定的に設置され、前記スライダの上端の間には密閉板が固定的に設置され、前記本体の上端面には左右に対称的な固定棒が固定的に設置され、前記固定棒の下側には空チャンバが設置され、前記空チャンバと前記貯水チャンバとの間には水溝が連通して設置され、前記水溝の外周には注水スイッチが設置され、前記注水スイッチは前記水溝の流通と閉鎖とを制御でき、前記空チャンバの中にはピストンがスライドできるように設置され、前記ピストンの中には抜き溝が設置され、前記抜き溝の左側には凹み溝が連通し合って設置され、前記凹み溝の中には密閉ブロックがスライドできるように設置され、前記密閉ブロックの右端と前記凹み溝との間には上下に対称的な固定撥条が固定的に設置され、前記空チャンバの左側と外部との間には噴き管が連通して設置され、前記噴き管の中には玉弁が当接しており、前記空チャンバの下側にはスプレー装置が設置され、前記スプレー装置と前記玉弁とが固定的に連結され、前記ピストンの右端面にはピストン棒が固定的に設置され、前記空チャンバの右側には連結チャンバが連通し合って設置され、前記ピストン棒の右端が前記連結チャンバの中に伸びており且つ前記ピストン棒の右端にはロック溝が設置され、前記ロック溝と前記スプレー装置とが係止連結され、前記ピストン棒の右側にはスライド棒がスライドできるように設置され、前記スライド棒と前記ピストン棒との間にはねじりばねが固定的に設置され、前記連結チャンバの右側には回転チャンバが連通し合って設置され、前記スライド棒の右端が前記回転チャンバの中に伸びており、且つ前記スライド棒の右端には固定板が固定的に設置され、前記固定板の左端と前記回転チャンバとの間には伸縮撥条が固定的に設置され、前記回転チャンバの中には前後に対称的なカムが回転できるように設置され、後側の前記カムと前記回転チャンバの後端壁に固定的に設置されたモーターとが伝動できるように連結され、後側の前記カムには係止溝が設置され、前記回転チャンバの後側にはロック装置が設置され、前記ロック装置と前記係止溝とが係止連結され、二つの前記カムの中には回し溝が設置され、前記回し溝の中にははじきブロックがスライドできるように設置され、前記はじきブロックの間には連結軸が固定的に設置され、前側の前記カムの中には調節装置が設置され、前記調節装置は前記連結軸の位置を調節でき、前記空チャンバの中の気圧は水の射程を調節できる。
【０００６】
更なる技術方案、前記注水スイッチは押し溝を含み、前記押し溝の中には押しブロックがスライドできるように設置され、前記押しブロックには抜き溝が設置され、前記押しブロックの下端には前記押しブロックを戻す復帰組み合わせが固定的に設置され、前記押し溝の下端壁の中には下端が前記ピストンと当接した圧ブロックがスライドできるように設置され、前記圧ブロックの右端壁には前記圧ブロックを戻す復帰部品が固定的に設置されており、前記ピストンが移動して前記水溝の開閉を制御できる。
【０００７】
更なる技術方案、前記スプレー装置は移動溝を含み、前記移動溝の中には移動棒がスライドできるように設置され、前記移動棒の左端と前記移動溝との間には連結撥条が固定的に設置され、前記移動溝の上側と前記噴き管と連通し合っており、前記移動棒の左端には上端が前記噴き管の中に伸びて前記玉弁と固定的に連結された回転棒が回転できるように設置され、前記移動溝の右側には開け溝が連通し合って設置され、前記開け溝の中には上端と前記移動棒の右端とが回転できるように連結された引き金が回転できるように設置され、前記引き金の左端面と前記開け溝との間には圧力撥条が固定的に設置され、前記移動溝と前記連結チャンバとの間には連結溝が連通して設置され、前記連結溝の中には前記移動棒と当接したロック棒がスライドできるように設置され、前記ロック棒の下端と前記連結溝との間には支持撥条が固定的に設置され、前記ロック棒の上端と前記ロック溝とが係止連結されており、前記引き金を引いて水鉄砲から水を噴出させる。
【０００８】
更なる技術方案、前記ロック装置は前記回転チャンバと連通し合った空溝を含み、前記空溝の中には前端と前記係止溝とが係止連結された係止ブロックがスライドできるように設置され、前記係止ブロックの後端と前記空溝との間には回転撥条が固定的に設置され、前記空溝の下側にはスライドチャンバが連通し合って設置され、前記スライドチャンバの中にはラックがスライドできるように設置され、前記ラックの後端には連結棒が当接して設置され、前記連結棒の上端が前記係止ブロックを貫通しており、前記スライドチャンバの下端壁の中には上端と前記ラックとが噛合した連結歯車が回転できるように設置され、前記連結歯車の右端には第一傘歯車が噛合連結され、前記第一傘歯車の下端面には固定軸が固定的に設置され、前記本体の下端面には取手が固定的に設置され、前記取手の中には開けチャンバが設置され、前記開けチャンバの中には左端が外部に伸びた押し棒がスライドできるように設置され、前記押し棒の右端と前記開けチャンバとの間には復帰撥条が固定的に設置され、前記開けチャンバの後端壁の中には回転軸によって直歯車が回転できるように設置され、前記直歯車と前記押し棒とが噛合しており、前記回転軸と前記固定軸との間が同期ベルトによって伝動できるように連結されており、前記押し棒が移動して前記カムの回転状態を制御できる。
【０００９】
更なる技術方案、前記調節装置は前側の前記回し溝と連通し合った回転溝を含み、前記回転溝の中には左右に対称的なプーリが回転できるように設置され、前記プーリの間がベルトによって伝動できるように連結され、前記ベルトの後端と前側の前記はじきブロックとが固定的に連結され、左側の前記プーリの前端には第二傘歯車が噛合し、前記第二傘歯車の前端面にはスプライン軸が固定的に設置され、前記回転チャンバの前側には押しチャンバが連通して設置され、前記押しチャンバの中には前端が外部に伸びた回転ブロックがスライドできるように設置され、前記回転ブロックと前記スプライン軸とがスプラインによって連結され、前記押しチャンバの中に位置した前記回転ブロックには支持ブロックが固定的に設置され、前記支持ブロックの後端と前記押しチャンバとの間には押し撥条が固定的に設置されており、前記回転ブロックを回して前記連結軸の位置を調節して前記空チャンバの中の気圧を調節する。
【発明の効果】
【００１０】
本発明の有益な効果は下記の通りである：
【００１１】
本発明は構造が簡単で、操作が便利で、貯水ケースと本体は解体しやすく、水鉄砲の中に水を貯蔵する空チャンバの中の気圧の大きさを調節でき、スプレーの射程を変えられ、且つ水を噴出させた後自動的に水を補充でき、スプレーを連続に操作でき、効率が高く、この水鉄砲は操作も持ち歩きも便利である。
【図面の簡単な説明】
【００１２】
【図１】図１は本発明の水鉄砲玩具の内部全体構造模式図
【図２】図２は本発明の図１の「Ａ」の拡大構造模式図
【図３】図３は本発明の図１の「Ｂ」の拡大構造模式図
【図４】図４は本発明の図１の「Ｃ」の拡大構造模式図
【図５】図５は本発明の図１の「Ｄ−Ｄ」の方向の構造模式図
【図６】図６は本発明の図５の「Ｅ」の拡大構造模式図
【図７】図７は本発明の図１の「Ｆ−Ｆ」の方向の構造模式図
【図８】図８は本発明の図７の「Ｇ」の拡大構造模式図
【発明を実施するための形態】
【００１３】
以下は図１−８を合わせて本発明を詳しく説明し、その中、便利に叙述するように、後文に出る方位を下記の通りに規定する：後文に出る上下左右前後方向は図１本体の投影関係の上下左右前後方向と一致する。
【００１４】
図１−８を参考して、本発明の実施例における水鉄砲玩具は、本体１０を含み、前記本体１０の上端面には貯水ケース１１が磁気吸引され、前記貯水ケース１１の中には貯水チャンバ１２が設置され、前記貯水チャンバ１２の下端壁の中にはスライド溝１３が設置され、前記スライド溝１３の中には押し撥条１５によって左右に対称的なスライダ７９が固定的に設置され、前記スライダ７９の上端の間には密閉板１４が固定的に設置され、前記本体１０の上端面には左右に対称的な固定棒１６が固定的に設置され、前記固定棒１６の下側には空チャンバ２２が設置され、前記空チャンバ２２と前記貯水チャンバ１２との間には水溝２１が連通して設置され、前記水溝２１の外周には注水スイッチ１００が設置され、前記注水スイッチ１００は前記水溝２１の流通と閉鎖とを制御でき、前記空チャンバ２２の中にはピストン２５がスライドできるように設置され、前記ピストン２５の中には抜き溝２６が設置され、前記抜き溝２６の左側には凹み溝８０が連通し合って設置され、前記凹み溝８０の中には密閉ブロック２７がスライドできるように設置され、前記密閉ブロック２７の右端と前記凹み溝８０との間には上下に対称的な固定撥条２８が固定的に設置され、前記空チャンバ２２の左側と外部との間には噴き管２９が連通して設置され、前記噴き管２９の中には玉弁３０が当接しており、前記空チャンバ２２の下側にはスプレー装置２００が設置され、前記スプレー装置２００と前記玉弁３０とが固定的に連結され、前記ピストン２５の右端面にはピストン棒３７が固定的に設置され、前記空チャンバ２２の右側には連結チャンバ４０が連通し合って設置され、前記ピストン棒３７の右端が前記連結チャンバ４０の中に伸びており且つ前記ピストン棒３７の右端にはロック溝４１が設置され、前記ロック溝４１と前記スプレー装置２００とが係止連結され、前記ピストン棒３７の右側にはスライド棒４３がスライドできるように設置され、前記スライド棒４３と前記ピストン棒３７との間にはねじりばね４２が固定的に設置され、前記連結チャンバ４０の右側には回転チャンバ４４が連通し合って設置され、前記スライド棒４３の右端が前記回転チャンバ４４の中に伸びており、且つ前記スライド棒４３の右端には固定板４５が固定的に設置され、前記固定板４５の左端と前記回転チャンバ４４との間には伸縮撥条４６が固定的に設置され、前記回転チャンバ４４の中には前後に対称的なカム４８が回転できるように設置され、後側の前記カム４８と前記回転チャンバ４４の後端壁に固定的に設置されたモーター５３とが伝動できるように連結され、後側の前記カム４８には係止溝５２が設置され、前記回転チャンバ４４の後側にはロック装置３００が設置され、前記ロック装置３００と前記係止溝５２とが係止連結され、二つの前記カム４８の中には回し溝４９が設置され、前記回し溝４９の中にははじきブロック５０がスライドできるように設置され、前記はじきブロック５０の間には連結軸５１が固定的に設置され、前側の前記カム４８の中には調節装置４００が設置され、前記調節装置４００は前記連結軸５１の位置を調節でき、前記空チャンバ２２の中の気圧は水の射程を調節できる。
【００１５】
有益なように、前記注水スイッチ１００は押し溝１７を含み、前記押し溝１７の中には押しブロック１８がスライドできるように設置され、前記押しブロック１８には抜き溝１９が設置され、前記押しブロック１８の下端には前記押しブロック１８を戻す復帰組み合わせ２０が固定的に設置され、前記押し溝１７の下端壁の中には下端が前記ピストン２５と当接した圧ブロック２３がスライドできるように設置され、前記圧ブロック２３の右端壁には前記圧ブロック２３を戻す復帰部品２４が固定的に設置されており、前記ピストン２５が移動して前記水溝２１の開閉を制御できる。
【００１６】
有益なように、前記スプレー装置２００は移動溝３２を含み、前記移動溝３２の中には移動棒３３がスライドできるように設置され、前記移動棒３３の左端と前記移動溝３２との間には連結撥条３４が固定的に設置され、前記移動溝３２の上側と前記噴き管２９と連通し合っており、前記移動棒３３の左端には上端が前記噴き管２９の中に伸びて前記玉弁３０と固定的に連結された回転棒３１が回転できるように設置され、前記移動溝３２の右側には開け溝３５が連通し合って設置され、前記開け溝３５の中には上端と前記移動棒３３の右端とが回転できるように連結された引き金３６が回転できるように設置され、前記引き金３６の左端面と前記開け溝３５との間には圧力撥条８２が固定的に設置され、前記移動溝３２と前記連結チャンバ４０との間には連結溝８１が連通して設置され、前記連結溝８１の中には前記移動棒３３と当接したロック棒３８がスライドできるように設置され、前記ロック棒３８の下端と前記連結溝８１との間には支持撥条３９が固定的に設置され、前記ロック棒３８の上端と前記ロック溝４１とが係止連結されており、前記引き金３６を引いて水鉄砲から水を噴出させる。
【００１７】
有益なように、前記ロック装置３００は前記回転チャンバ４４と連通し合った空溝６５を含み、前記空溝６５の中には前端と前記係止溝５２とが係止連結された係止ブロック６３がスライドできるように設置され、前記係止ブロック６３の後端と前記空溝６５との間には回転撥条６４が固定的に設置され、前記空溝６５の下側にはスライドチャンバ６８が連通し合って設置され、前記スライドチャンバ６８の中にはラック６７がスライドできるように設置され、前記ラック６７の後端には連結棒６６が当接して設置され、前記連結棒６６の上端が前記係止ブロック６３を貫通しており、前記スライドチャンバ６８の下端壁の中には上端と前記ラック６７とが噛合した連結歯車６９が回転できるように設置され、前記連結歯車６９の右端には第一傘歯車７０が噛合連結され、前記第一傘歯車７０の下端面には固定軸７１が固定的に設置され、前記本体１０の下端面には取手７８が固定的に設置され、前記取手７８の中には開けチャンバ７６が設置され、前記開けチャンバ７６の中には左端が外部に伸びた押し棒７５がスライドできるように設置され、前記押し棒７５の右端と前記開けチャンバ７６との間には復帰撥条７７が固定的に設置され、前記開けチャンバ７６の後端壁の中には回転軸７２によって直歯車７３が回転できるように設置され、前記直歯車７３と前記押し棒７５とが噛合しており、前記回転軸７２と前記固定軸７１との間が同期ベルト７４によって伝動できるように連結されており、前記押し棒７５が移動して前記カム４８の回転状態を制御できる。
【００１８】
有益なように、前記調節装置４００は前側の前記回し溝４９と連通し合った回転溝５４を含み、前記回転溝５４の中には左右に対称的なプーリ５６が回転できるように設置され、前記プーリ５６の間がベルト５７によって伝動できるように連結され、前記ベルト５７の後端と前側の前記はじきブロック５０とが固定的に連結され、左側の前記プーリ５６の前端には第二傘歯車５５が噛合し、前記第二傘歯車５５の前端面にはスプライン軸５８が固定的に設置され、前記回転チャンバ４４の前側には押しチャンバ５９が連通して設置され、前記押しチャンバ５９の中には前端が外部に伸びた回転ブロック６０がスライドできるように設置され、前記回転ブロック６０と前記スプライン軸５８とがスプラインによって連結され、前記押しチャンバ５９の中に位置した前記回転ブロック６０には支持ブロック６１が固定的に設置され、前記支持ブロック６１の後端と前記押しチャンバ５９との間には押し撥条６２が固定的に設置されており、前記回転ブロック６０を回して前記連結軸５１の位置を調節して前記空チャンバ２２の中の気圧を調節する。
【００１９】
初期状態の時、抜き溝１９と水溝２１とが連通し合っており、玉弁３０が噴き管２９を密閉し、復帰部品２４と回転撥条６４が圧縮状態である。
【００２０】
作動する時、貯水ケース１１が下に本体１０に取り付けられ、固定棒１６が密閉板１４を上に押して上昇させ、貯水チャンバ１２の中の水は貯水溝２１及び固定棒１６を経由して空チャンバ２２の中に入り、後に回転ブロック６０を押してスプライン軸５８とスプラインにより連結し、回転ブロック６０を回転させてスプライン軸５８にプーリ５６を回転連動させ、ベルト５７がはじきブロック５０を移動連動させ、需要な気圧の大きさによって連結軸５１の位置を調節し（連結軸５１が固定板４５から遠ければ遠いほど、空チャンバ２２の中の気圧が大きくなり、射程も遠くなり）、連結軸５１の位置調節が終わった後回転ブロック６０を解放してスプライン軸５８から離脱させ、モーター５３が作動してカム４８を反時計回りに百八十度回転させ、連結軸５１が固定板４５を押し動かして左に移動させ、スライド棒４３が左に移動し、ねじりばね４２が力を蓄え、この時、係止ブロック６３と係止溝５２とが係止連結され、その後、右に引き金３６を引き、移動棒３３が左に移動して回転棒３１を時計回りに回転させ、玉弁３０を右に移動連動させて噴き管２９を開け、移動棒３３が左に移動する過程中に、ロック棒３８が下に降りてロック溝４１から離脱し、ピストン棒３７がねじりばね４２によって左に移動し、ピストン２５を押し動かして左に移動させ、空チャンバ２２の中の水が噴き管２９を経由して噴き出し、ピストン２５が左に移動する時、押しブロック２３が下に降り、押しブロック１８が右に移動して水溝２１の流通を塞ぎ、引き金３６が押し棒７５を押して右に移動する時、直歯車７３が回転し、同期ベルト７４によって第一傘歯車７０を回転させ、それにより連結歯車６９が回転してラック６７を後に移動し、連結棒６６によって係止ブロック６３を後に移動し、係止ブロック６３が係止溝５２から離脱し、カム４８が回転し続いて固定板４５から離脱し、伸縮撥条４６によって、固定板４５がスライド棒４３及びピストン棒３９を右に移動し、装置が初期に戻り、空チャンバ２２の中に注水し、次のスプレーを待つ。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176815.tif 000003
【図２】
2020176815.tif 000004
【図３】
2020176815.tif 000005
【図４】
2020176815.tif 000006
【図５】
2020176815.tif 000007
【図６】
2020176815.tif 000008
【図７】
2020176815.tif 000009
【図８】
2020176815.tif 000010